(57)【要約】【課題】スクリーン装置を大型化することなく、ボトムバーなどの棒状の框材にスクリーンを外れることなく固定することができるスクリーンの固定構造およびスクリーン装置を提供する。【解決手段】スクリーン２の下縁部（縁部）２１を棒状のボトムバー（框材）４に沿って固定するスクリーン２の固定構造において、スクリーン２の縁部は、ボトムバー４の長さ方向の中間部に固定される第１固定縁部２２と、ボトムバー４の長さ方向の端部に固定される第２固定縁部２３と、を有し、第１固定縁部２２と第２固定縁部２３とは、スクリーン２に形成された切り込み部２４を介して隣接していて、互いに異なる向きでボトムバー４に固定可能に構成されている。【選択図】図２
2019023407.tif 000002
【特許請求の範囲】
【請求項１】
スクリーンの縁部を棒状の框材に沿って固定するスクリーンの固定構造において、
前記スクリーンの縁部は、前記框材の長さ方向の中間部に固定される第１固定縁部と、前記框材の前記長さ方向の端部に固定される第２固定縁部と、を有し、
前記第１固定縁部と前記第２固定縁部とは、前記スクリーンに形成された切り込み部を介して隣接していて、互いに異なる向きで前記框材に固定可能に構成されていることを特徴とするスクリーンの固定構造。
【請求項２】
前記框材は、前記長さ方向の中間部に配置され前記長さ方向に延びる長尺の框本体と、前記長さ方向の端部に配置され前記框本体の前記長さ方向の端部に取り付けられた端部キャップと、を有し、
前記第１固定縁部は、前記框本体に固定され、
前記第２固定縁部は、前記端部キャップに固定されている請求項１に記載のスクリーンの固定構造。
【請求項３】
前記框材は、前記長さ方向の中間部に配置され前記第１固定縁部が挿入されて固定される第１固定溝部と、
前記長さ方向の端部に配置され前記第２固定縁部が挿入されて前記第１固定縁部と異なる向きで固定される第２固定溝部と、を有する請求項１または２に記載のスクリーンの固定構造。
【請求項４】
スクリーンと、第１方向に延びる棒状に形成され前記第１方向に沿って前記スクリーンの縁部が固定された框材と、前記框材を前記第１方向に交差する第２方向に移動可能に支持するガイドレールと、を有するスクリーン装置において、
前記框材は、前記第１方向に延びる框本体と、前記框本体の前記第１方向の端部に取り付けられた端部キャップと、を有し、
前記ガイドレールは、前記端部キャップが挿入されて前記端部キャップを第２方向に移動可能に係止するガイドレール溝部を有し、
前記スクリーンの縁部は、前記框本体に固定される第１固定縁部と、前記端部キャップに固定される第２固定縁部と、を有し、
前記第１固定縁部と前記第２固定縁部とは、前記スクリーンに形成された切り込み部を介して隣接していて、
前記第１固定縁部が前記框本体に固定される向きと、前記第２固定縁部が前記端部キャップに固定される向きとは、互いに異なる向きであることを特徴とするスクリーン装置。
【請求項５】
前記第１固定縁部は、前記第２方向に交差する方向に沿った姿勢で前記框本体に固定され、
前記第２固定縁部は、前記第２方向に沿った姿勢で前記端部キャップに固定されている請求項４に記載のスクリーン装置。
【発明の詳細な説明】
【技術分野】
【０００１】
本発明は、スクリーンの固定構造およびスクリーン装置に関する。
【背景技術】
【０００２】
ロールブラインドや、巻き上げ式の網戸など、巻き上げ・巻き出しされる網材や布材などのスクリーンの下縁部に沿って棒状のボトムバーが固定され、ボトムバーを直接または操作コードなどを介して引き下ろすことでスクリーンを巻き出すことができるスクリーン装置が知られている（例えば、特許文献１参照）。このようなスクリーン装置では、ボトムバーに形成された溝部にスクリーンの下縁部が挿し込まれることでスクリーンとボトムバーとが固定されている。溝部に挿し込まれるスクリーンの下縁部は、薄板を巻き込んでいて、薄板とともにボトムバーの溝部に挿し込まれている。
【０００３】
スクリーンとボトムバーとは、スクリーンの下縁部とボトムバーの溝部との接触面を大きくしたり、溝部に挿し込まれたスクリーンの下縁部の向きをスクリーンが巻き上げ・巻き出しされる方向と交差する向きとしたりすると、外れにくい構造とすることができる。例えば、ボトムバーが上下方向に移動し、スクリーンが上下方向に巻き上げ・巻き出しされる場合は、溝部の挿し込まれたスクリーンの下縁部の向きが見込み方向に延びる向き（面は上下方向を向く向き）となることで、スクリーンとボトムバーとが外れにくい構造とすることができる。
【０００４】
ボトムバーには、両端部が上下方向に延びるガイドレールに挿し込まれた状態で上下方向に移動する構成のものも知られている。このようなボトムバーは、棒状のボトムバー本体と、ボトムバー本体の両端部にそれぞれ取り付けられた端部キャップと、を有していて、ボトムバー本体および端部キャップの両方にスクリーンが挿し込まれる溝部が形成されている。
【先行技術文献】
【特許文献】
【０００５】
【特許文献１】実公昭５８−１８８４９１号公報
【発明の概要】
【発明が解決しようとする課題】
【０００６】
上述したように、ボトムバーが上下方向に移動し、スクリーンが上下方向に巻き上げ・巻き出しされる場合は、溝部に挿し込まれたスクリーンの下縁部の向きを見込み方向に延びる向きとすることで、スクリーンとボトムバーとが外れにくい構造とすることができる。このため、ボトムバーがボトムバー本体および端部キャップを有する場合も、ボトムバー本体および端部キャップそれぞれの溝部に挿し込まれたスクリーンの下縁部を見込み方向に延びる向きとすることになる。
【０００７】
ボトムバー本体および端部キャップそれぞれの溝部に挿し込まれたスクリーンの下縁部を見込み方向に延びる向きとするには、溝部に挿し込まれたスクリーンの下縁部を上下方向に延びる向きとする場合と比べて、ボトムバー本体および端部キャップそれぞれの見込み方向の寸法を大きくする必要がある。
しかしながら、端部キャップは、ガイドレールに挿し込まれる構成であるため、端部キャップの見込み方向の寸法が大きくなると、ガイドレールの見込み方向の寸法も大きくする必要があり、スクリーン装置が大型化してしまい、スクリーン装置の製造や運搬・施工などに手間やコストがかかるという問題がある。
【０００８】
そこで本発明は、スクリーン装置を大型化することなく、ボトムバーなどの棒状の框材にスクリーンを外れることなく固定することができるスクリーンの固定構造およびスクリーン装置を提供することを目的とする。
【課題を解決するための手段】
【０００９】
上記目的を達成するため、本発明に係るスクリーンの固定構造は、スクリーンの縁部を棒状の框材に沿って固定するスクリーンの固定構造において、前記スクリーンの縁部は、前記框材の長さ方向の中間部に固定される第１固定縁部と、前記框材の前記長さ方向の端部に固定される第２固定縁部と、を有し、前記第１固定縁部と前記第２固定縁部とは、前記スクリーンに形成された切り込み部を介して隣接していて、互いに異なる向きで前記框材に固定可能に構成されていることを特徴とする。
【００１０】
また、本発明に係るスクリーン装置は、スクリーンと、第１方向に延びる棒状に形成され前記第１方向に沿って前記スクリーンの縁部が固定された框材と、前記框材を前記第１方向に交差する第２方向に移動可能に支持するガイドレールと、を有するスクリーン装置において、前記框材は、前記第１方向に延びる框本体と、前記框本体の前記第１方向の端部に取り付けられた端部キャップと、を有し、前記ガイドレールは、前記端部キャップが挿入されて前記端部キャップを第２方向に移動可能に係止するガイドレール溝部を有し、前記スクリーンの縁部は、前記框本体に固定される第１固定縁部と、前記端部キャップに固定される第２固定縁部と、を有し、前記第１固定縁部と前記第２固定縁部とは、前記スクリーンに形成された切り込み部を介して隣接していて、前記第１固定縁部が前記框本体に固定される向きと、前記第２固定縁部が前記端部キャップに固定される向きとは、互いに異なる向きであることを特徴とする。
【００１１】
本発明では、第１固定縁部が框材に固定される向きと、第２固定縁部が框材に固定される向きと、を互いに異なる向きにできる。これにより、第１固定縁部および第２固定縁部のいずれか一方は、より強固に固定される向きで框材に固定し、他方は一方とは異なる向きで框材を大型化させないように框材に固定することができる。
【００１２】
また、本発明に係るスクリーンの固定構造では、前記框材は、前記長さ方向の中間部に配置され前記長さ方向に延びる長尺の框本体と、前記長さ方向の端部に配置され前記框本体の前記長さ方向の端部に取り付けられた端部キャップと、を有し、前記第１固定縁部は、前記框本体に固定され、前記第２固定縁部は、前記端部キャップに固定されていてもよい。
このような構成とすることにより、スクリーンの縁部が框本体に固定される向きと、スクリーンの縁部を端部キャップに固定される向きと、を互いに異なる向きとすることができる。例えば、第１固定縁部は、より強固に固定される向きで框本体に固定し、第２固定縁部は、第１固定縁部とは異なる向きで端部キャップを大型化させないように端部キャップに固定することができる。
【００１３】
また、本発明に係るスクリーンの固定構造では前記框材は、前記框材は、前記長さ方向の中間部に配置され前記第１固定縁部が挿入されて固定される第１固定溝部と、前記長さ方向の端部に配置され前記第２固定縁部が挿入されて前記第１固定縁部と異なる向きで固定される第２固定溝部と、を有していてもよい。
このような構成とすることにより、第１固定縁部を第１固定溝部に挿入して固定し、第２固定縁部を第２固定溝部に挿入して固定すれば、第１固定縁部および第２固定縁部を容易に互いに異なる向きで框材に固定することができる。
【００１４】
また、本発明に係るスクリーン装置では、前記第１固定縁部は、前記第２方向に交差する方向に沿った姿勢で前記框本体に固定され、前記第２固定縁部は、前記第２方向に沿った姿勢で前記端部キャップに固定されていてもよい。
このように、第２方向は框材がガイドレールに沿って移動する方向であり、第１固定縁部が第２方向に交差する方向に沿った姿勢で框本体に固定されていることにより、框材がガイドレールに沿って移動した際に、框本体およびスクリーンに框本体とスクリーンとを離間させる第２方向の力が作用した場合でも、框本体と第１固定縁部とが外れにくい構造とすることができる。
また、第２固定縁部は、第２方向に沿った姿勢で端部キャップに固定されているため、端部キャップにおける第２固定縁部を固定する部分の第２方向に交差する方向の寸法を抑えることができる。その結果、端部キャップが挿入されるガイドレールの第２方向に交差する方向の寸法を抑えることができる。
例えば、ガイドレールが框材をガイドする第２方向が上下方向や見付け方向の場合、第２固定縁部が上下方向や見付け方向に沿った姿勢となることにより、端部キャップの見込み方向の寸法を抑えることができる。結果として、ガイドレールの見込み方向の寸法も抑えることができる。
このように、スクリーンを框材から外れにくくすることができるとともに、端部キャップおよびガイドレールの第２方向に交差する方向の寸法を抑えることができる。
【発明の効果】
【００１５】
本発明によれば、スクリーン装置を大型化することなく、框材にスクリーンを外れることなく固定することができる。
【図面の簡単な説明】
【００１６】
【図１】本発明の実施形態によるスクリーン装置の一例を示す斜視図である。
【図２】本発明の実施形態によるスクリーン装置のスクリーンおよびボトムバーを示す斜視図である。
【図３】本発明の実施形態によるスクリーン装置のスクリーンおよびボトムバーを室外側から見た図である。
【図４】図１のＡ−Ａ線断面図におけるボトムバーとガイドレールを説明する図である。
【図５】図２のＢ−Ｂ線断面図である。
【図６】図２のＣ−Ｃ線断面図である。
【発明を実施するための形態】
【００１７】
以下、本発明の実施形態によるスクリーンの固定構造およびスクリーン装置について、図１乃至図６に基づいて説明する。
図１に示すように、本実施形態によるスクリーン装置１は、壁部１１に形成された開口部１２を開閉するサッシ１３に網戸や日よけとして設けられている。
スクリーン装置１は、開口部１２を開閉可能なスクリーン２と、サッシ１３の上方に設けられてスクリーン２を巻き取り・巻き出し可能な巻き取り部３と、スクリーン２の下縁部２１に固定されたボトムバー４（框材）と、ボトムバー４をガイドする一対のガイドレール５，５と、を有している。
なお、壁部１１に沿った水平方向を見付け方向とし、見付け方向に直交する方向（壁部１１に直交する方向）を見込み方向とする。見付け方向が本発明の第１方向に相当し、上下方向が本発明の第２方向に相当している。
【００１８】
スクリーン２は、網戸の網材や、日よけの布材などで、巻き取り部３が巻き取り・巻き出し可能な可撓性を有するシート状に形成されている。スクリーン２は、巻き取り部３から巻き出されると、その面が鉛直面となる向きで開口部１２を閉塞し、巻き取り部３に巻き取られると上方で巻かれた状態となって開口部１２を開放するように構成されている。スクリーン２は、その面が開口部１２を閉塞可能な矩形状に形成されている。
【００１９】
スクリーン２における上側および下側は、スクリーン２が開口部１２を閉塞している状態の上側および下側とする。スクリーン２が開口部１２を閉塞している状態において、スクリーン２の上縁部および下縁部２１は、見付け方向に延びていている。巻き取り部３から巻き出されて開口部１２を閉鎖した状態のスクリーン２の見付け方向の両縁部は、上下方向に延びている。以下の説明では、スクリーン２が開口部１２を閉塞している姿勢であるものとする。また、スクリーン２の下縁部２１とは、スクリーン２の下端部を含む下端部近傍の部分を示すものとする。スクリーン２の下縁部２１よりも上側の部分をスクリーン上側部２５とする。
【００２０】
図２および図３に示すように、スクリーン２の下縁部２１には、見付け方向の中間部に配置されてボトムバー４のボトムバー本体４１（後述する）に固定される第１固定縁部２２と、第１固定縁部２２の見付け方向の両側に配置されてボトムバー４の２つの端部キャップ４２，４２（後述する）それぞれに固定される２つの第２固定縁部２３と、を有している。
第１固定縁部２２と一方の第２固定縁部２３との間、および第１固定縁部２２と他方の第２固定縁部２３との間には、それぞれスクリーン２の下縁部２１から上側に延びる直線状の切り込み部２４が形成されている。これにより、第１固定縁部２２および第２固定縁部２３を、スクリーン２の下縁部２１よりも上側の部分に対して互いに異なる方向に曲げることができる。
スクリーン２のボトムバー４への固定構造については、巻き取り部３、ガイドレール５およびボトムバー４の説明の後に説明する。
【００２１】
図１に示すように、巻き取り部３は、見付け方向に延びてスクリーン２の上端部が接続された巻き取り軸部３１と、巻き取り軸部３１を巻き取り方向に回動するように付勢する付勢部３２と、巻き取り軸部３１および付勢部３２が収容されてサッシ１３の上枠１４またはサッシ１３の上側において壁部１１に固定されるスクリーンボックス３３と、を有している。
スクリーンボックス３３は、巻き取り軸部３１に巻き取られたスクリーン２も収容可能に構成されている。スクリーンボックス３３には、見付け方向の全体に延びて下側に開口するスクリーン用溝部（不図示）が形成されている。巻き取り軸部３１に巻き取り・巻き出しされるスクリーン２は、スクリーン用溝部を通過するように構成されている。
【００２２】
図１に示すように、一対のガイドレール５，５は、それぞれ上下方向に延びて、サッシ１３の一対の縦枠１５の室外側に重なるように固定されている。一対のガイドレール５，５は、ボトムバー４を上下方向（第２方向）にガイドするように構成されている。
一対のガイドレール５，５は、互いに見付け方向に対称となる形状に形成されている。
以下の一対のガイドレール５，５の説明では、見付け方向における一対のガイドレール５，５それぞれに対して開口部１２の見付け方向の中心側を見付け方向の内側とし、開口部１２の見付け方向の中心に対して一対のガイドレール５、５それぞれが配置されている側を見付け方向の外側とする。
【００２３】
図４に示すように、ガイドレール５は、長さ方向（上下方向）に直交する断面（水平断面）が見付け方向の内側に開口する略Ｃ字形状となるように形成されていて、見付け方向の内側に開口し長さ方向に延びるガイドレール溝部５１が形成されている。図４では、室外側から見て右側となるガイドレール５を示している。
ガイドレール５は、室外側に設けられ板面が見込み方向を向く室外側板部５２と、室外側板部５２の室内側に対向するように設けられ板面が見込み方向を向く室内側板部５３と、室内側板部５３の見付け方向の外側の端部から室外側に延びる外板部５４と、室外側板部５２の見付け方向の内側の端部よりもやや外側から室内側に突出する第１見込み板部５５と、室内側板部５３の見付け方向の内側の端部から室外側に突出する第２見込み板部５６と、を有している。
室外側板部５２と外板部５４とは、室外側板部５２の見付け方向の外側の端部５２ａと、外板部５４の室外側の端部５４ａとを略直角に突き合わせるようにして配置されている。室外側板部５２と外板部５４とは、それぞれに設けられた係合部どうしを係合させることで連結されている。
【００２４】
第１見込み板部５５と第２見込み板部５６とは、それぞれの先端部が見込み方向に間隔をあけて離間しているとともに、第１見込み板部５５が第２見込み板部５６よりも見付け方向の外側に配置されている。
ガイドレール溝部５１は、室外側板部５２、室内側板部５３、外板部５４、第１見込み板部５５および第２見込み板部５６に囲まれている。ガイドレール溝部５１には、端部キャップ４２のガイドレール挿入部４２１（後述する）が挿入されるように構成されている。
室外側板部５２における第１見込み板部５５よりも見込み方向の内側の室内側の面５２１には、上下方向全体にわたってモヘア５７が設けられている。
【００２５】
図２および図３に示すように、ボトムバー４は、長尺の棒状に形成され、長さ方向が見付け方向（第１方向）となる向きに配置されている。ボトムバー４は、長さ方向に延びる長尺のボトムバー本体４１（框本体）と、ボトムバー本体４１の長さ方向の両端部それぞれに取り付けられた２つの端部キャップ４２と、を有している。ボトムバー４は、一対のガイドレール５，５の内側に配置されている（図１参照）。
【００２６】
ボトムバー本体４１は、見付け方向（長さ方向）全体にわたって略同じ断面形状に形成されている。ボトムバー本体４１には、上側に開口し見付け方向全長にわたって延びる第１固定溝部４１１が形成されている。
図５に示すように、ボトムバー本体４１は、それぞれ見付け方向に延びて互いに連結された第１部材４３および第２部材４４を有している。
第１部材４３は、室外側に配置され板面が見込み方向を向く鉛直面となる室外側板部４３１と、室内側に配置され板面が見込み方向を向く鉛直面となる室内側板部４３２と、室外側板部４３１の上端部と室内側板部４３２の上端部を接続する上板部４５と、上板部４５の見込み方向の中間部から下側に延びる中板部４３４と、中板部４３４の下端部から室内側に延びる下板部４３５と、を有している。
【００２７】
室外側板部４３１と室内側板部４３２とは、見込み方向に間隔をあけて配置されている。室外側板部４３１の上端部４３１ａと室内側板部４３２の上端部４３２ａとは、略同じ高さに配置されている。室外側板部４３１は、室内側板部４３２よりも上下方向に長く形成されている。室外側板部４３１の下端部４３１ｂは、室内側板部４３２の下端部４３２ｂよりも下側に配置されている。
下板部４３５は、室外側板部４３１の下端部４３１ｂと略同じ高さに配置されている。下板部４３５の室内側の端部４３５ａは、室内側板部４３２の下端部４３２ｂよりも下側かつ室外側に配置されていて、室内側板部４３２の下端部４３２ｂと離間している。
【００２８】
上板部４５は、室外側板部４３１の上端部４３１ａから室内側に延びる第１上板部４５１と、第１上板部４５１の室内側に間隔をあけて配置され室内側板部４３２の上端部４３２ａから室外側に延びる第２上板部４５２と、第１上板部４５１の見込み方向の中間部から下側に延びる第１側板部４５３と、第１側板部４５３よりも室内側に配置され第２上板部４５２の見込み方向の中間部から下側に延びる第２側板部４５４と、第１側板部４５３の下端部と第２側板部４５４の下端部とを接続する底板部４５５と、を有している。底板部４５５は、板面が略水平となる向きに配置されている。中板部４３４は、底板部４５５の見込み方向の中間部から下側に延びている。
【００２９】
第１上板部４５１における第１側板部４５３よりも室内側の部分４５１ａ（以下、第１上板部室内側片４５１ａとする）は、底板部４５５の鉛直方向上側に配置されている。第１上板部室内側片４５１ａの室内側の端部近傍は、室内側に向かって漸次下側に向かう斜め方向に屈曲し、さらに鉛直方向下側に屈曲する屈曲部４５１ｂが形成されている。
【００３０】
第２上板部４５２における第２側板部４５４よりも室外側の部分４５２ａ（以下、第２上板部室外側片４５２ａとする）は、底板部４５５の鉛直方向上側に配置されている。
第１上板部室内側片４５１ａの室内側の端部（屈曲部４５１ｂの室内側の端部）４５１ｃと、第２上板部室外側片４５２ａの室外側の端部４５２ｃとは、見込み方向に間隔をあけるように離間している。屈曲部４５１ｂの下端部（先端部）４５１ｄは、底板部４５５と上下方向に離間している。
【００３１】
第１側板部４５３、第２側板部４５４、底板部４５５、第１上板部室内側片４５１ａおよび第２上板部室外側片４５２ａの内側に第１固定溝部４１１が形成されている。第１固定溝部４１１は、ボトムバー本体４１を見付け方向に貫通するように形成されている。この第１固定溝部４１１には、スクリーン２の第１固定縁部２２が挿入されて固定されるように構成されている。
本実施形態では、ボトムバー本体４１の見込み方向の寸法は、一対のガイドレール５，５の見込み方向の寸法よりもやや大きく設定されている。ボトムバー本体４１の室外側の端面４１ａは、ガイドレール５の室外側の端面５ａよりも室外側に配置され、ボトムバー本体４１の室内側の端面４１ｂは、ガイドレール５の室内側の端面５ｂよりも室内側に配置されている（図４参照）。
【００３２】
第２部材４４は、第１部材４３の室内側板部４３２の下端部４３２ｂと、下板部４３５の室内側の端部４３５ａの間に架け渡されるように配置され、第１部材４３の室内側板部４３２の下端部４３２ｂおよび下板部４３５の室内側の端部４３５ａと係合している。
第２部材４４は、第１部材４３の室内側板部４３２の下端部４３２ｂから下板部４３５の室内側の端部４３５ａに向かって室外側に湾曲しながら延びている。
第１部材４３の第２上板部４５２、室内側板部４３３および第２部材４４は、この順に連続して配置されていて、ボトムバー４を操作する使用者がこれらを把持して操作しやすいように構成されている。
【００３３】
図２および図３に示すように、２つの端部キャップ４２は、見付け方向（ボトムバー本体４１の長さ方向）に対称となる形状で構成されている。
以下の２つの端部キャップ４２の説明では、見付け方向における２つの端部キャップ４２それぞれがボトムバー本体４１に近接する側を見付け方向の内側とし、２つの端部キャップ４２それぞれがボトムバー本体４１と離間する側を見付け方向の外側とする。
【００３４】
図２−４および６に示すように、端部キャップ４２は、ガイドレール５のガイドレール溝部５１（図４参照）に挿入されるガイドレール挿入部４２１と、ボトムバー本体４１に固定される固定部４２２と、を有している。ガイドレール挿入部４２１と固定部４２２とは、ガイドレール挿入部４２１が見付け方向の外側、固定部４２２が見付け方向の内側となるように配置されている。
【００３５】
図２−４に示すように、端部キャップ４２には、ガイドレール挿入部４２１と固定部４２２との間に、室外側に開口して上下方向に延びる室外側溝部４２３と、室内側に開口して上下方向に延びる室内側溝部４２４と、が形成されている。
端部キャップ４２は、ガイドレール挿入部４２１がガイドレール溝部５１に挿入されると、室外側溝部４２３にガイドレール５の第１見込み板部５５およびモヘア５７それぞれの先端部分が挿入され、室内側溝部４２４にガイドレール５の第２見込み板部５６の先端部分が挿入されるように構成されている。
【００３６】
固定部４２２は、ボトムバー本体４１の見付け方向の端面の外形と略同じ外形に形成され、ボトムバー本体４１の見付け方向の端面と重なるようにしてボトムバー本体４１に固定されている。本実施形態では、固定部４２２はネジなどの固定具でボトムバー本体４１に固定されている。
ガイドレール挿入部４２１は、ボトムバー本体４１よりも見込み方向の寸法が小さく形成されている。ガイドレール挿入部４２１の室外側の端面４２１ａは、ボトムバー本体４１の室外側の端面４１ａよりも室内側に配置され、ガイドレール挿入部４２１の室内側の端面４２１ｂは、ボトムバー本体４１の室内側の端面４１ｂよりも室外側に配置されている（図４参照）。
【００３７】
端部キャップ４２には、上側に開口しガイドレール挿入部４２１および固定部４２２を合せた見付け方向全体にわたって延びる第２固定溝部４２５が形成されている。第２固定溝部４２５は、見付け方向の外側の端部が他の部分よりも見込み方向に小さく形成されている。第２固定溝部４２５における見付け方向の外側の端部以外の部分は、見付け方向にわたって同じ断面形状で、その深さ方向が上下方向となり、第１固定溝部４１１よりも上下方向に大きく、見込み方向に小さく形成されている。
第２固定溝部４２５は、第１固定溝部４１１の見付け方向の外側に連続するように配置されている。
【００３８】
次に、スクリーン２のボトムバー４への固定構造（スクリーンの固定構造）について説明する。
図５に示すように、スクリーン２の第１固定縁部２２は、見付け方向に延びる樹脂製の第１薄板部２２１にスクリーン２の下縁部２１が巻き込むように貼りつけられた構造となっている。このような構造となっていることにより、第１固定縁部２２は、スクリーン２を構成する網材や布材などのみの場合と比べて剛性をする板状に形成されている。
【００３９】
第１固定縁部２２は、スクリーン上側部２５に対して折り曲げられていない状態における上下方向の寸法が第１固定溝部４１１の見込み方向の寸法（第１側板部４５３と第２側板部４５４との間の寸法）と略同じ寸法となるように形成されている。なお、図５では、第１固定縁部２２は、スクリーン上側部２５に対して折り曲げられている状態である。したがって、スクリーン上側部２５に対して折り曲げられていない状態における上下方向の寸法とは、図５に示す第１固定縁部２２の見込み方向の寸法に相当している。
【００４０】
第１固定縁部２２は、ボトムバー本体４１の第１固定溝部４１１に挿入された状態でボトムバー本体４１に固定されている。第１固定縁部２２は、ボトムバー本体４１の見付け方向の側方から第１固定溝部４１１に挿入される。なお、第１固定縁部２２は、ボトムバー本体４１の上側から第１上板部４５１と第２上板部４５２との間を通すようにして第１固定溝部４１１に挿入してもよい。
【００４１】
第１固定溝部４１１に挿入された第１固定縁部２２は、第１薄板部２２１および第１薄板部２２１を巻き込んだスクリーン２の面が上下方向を向く姿勢となっている。上記のような姿勢となった第１固定縁部２２は、室外側の端部２２ａが第１上板部４５１の室内側の端部４５１ｃよりも室外側に配置され、第１固定溝部４１１を形成する第１側板部４５３と当接している。また、上記のような姿勢となった第１固定縁部２２は、室内側の端部２２ｂが第２上板部４５２の室外側の端部４５２ｃよりも室内側に配置され、第１固定溝部４１１を形成する第２側板部４５４と当接している。
【００４２】
また、第１固定縁部２２は、第１固定溝部４１１の底板部４５５の上面および第１上板部４５１の屈曲部４５１ｂの下端部４５１ｄの両方に当接し、第１固定溝部４１１の底板部４５５および第１上板部４５１に挟持されている。
本実施形態では、第１固定縁部２２は、第１固定溝部４１１を構成する第１側板部４５３と第２側板部４５４とを見込み方向に押し広げるとともに第１上板部４５１の屈曲部４５１ｂと底板部４５５とを上下方向に押し広げるようにボトムバー本体４１を弾性変形させながら第１固定溝部４１１に挿し込まれており、弾性変形の復元力によって第１固定溝部４１１に強固に挟持されている。
このようにして第１固定縁部２２がボトムバー本体４１に固定されている。
【００４３】
第１固定縁部２２の上側のスクリーン上側部２５は、第１固定縁部２２よりもすぐ上側の部分２５ａが第１固定溝部４１１の内部において上側に向かって漸次室外側に向かう斜めの姿勢となり、このすぐ上側の部分２５ｂが第１上板部４５１と第２上板部４５２との隙間に配置され、さらに上側の部分２５ｃがボトムバー本体４１の上側に配置されている。
【００４４】
図６に示すように、スクリーン２の第２固定縁部２３は、見付け方向に延びる樹脂製の第２薄板部２３１がスクリーン２の下縁部２１が巻き込むように貼りつけられた構造となっている。このような構造となっていることにより、第２固定縁部２３は、スクリーン２を構成する網材や布材などのみの場合と比べて剛性を有する板状に形成されている。
【００４５】
第２固定縁部２３は、スクリーン上側部２５に対して折り曲げられていない状態における上下方向の寸法が第２固定溝部４２５（ここでは、第２固定溝部４２５における外側の端部以外の部分を示す）の上下方向の寸法（深さ寸法）と略同じ寸法となるように形成されている。
【００４６】
第２固定縁部２３は、端部キャップ４２の第２固定溝部４２５に挿入された状態で端部キャップ４２に固定されている。第２固定縁部２３は、端部キャップ４２の上側から第２固定溝部４２５に挿し込まれている。
第２固定溝部４２５に挿し込まれた第２固定縁部２３は、スクリーン２および第２薄板部２３１が見込み方向を向く姿勢となり、第２固定溝部４２５の室外側および室内側の両側面に挟持されている。本実施形態では、第２固定縁部２３は、第２固定溝部４２５の内側を見込み方向に押し広げるように端部キャップ４２を弾性変形させながら第２固定溝部４２５に挿し込まれており、弾性変形の復元力によって端部キャップ４２に強固に挟持されている。
このようにして第２固定縁部２３が端部キャップ４２に固定されている。
第２固定縁部２３の上側のスクリーン上側部２５は、端部キャップ４２の上側に配置されている。
端部キャップ４２は、第２固定溝部４２５が見付け方向の外側の端部が他の部分よりも見込み方向に小さく形成されていることにより、第２固定溝部４２５に挿し込まれた第２固定縁部２３が見付け方向の外側にスライドして端部キャップ４２から外れることを防止できるように構成されている。
【００４７】
このように、第１固定縁部２２と第２固定縁部２３とは、間に切り込み部２４の一方側と他方側とにおいて異なる姿勢でボトムバー４に固定されている。
このようなスクリーン装置１は、２つの端部キャップ４２それぞれのガイドレール挿入部４２１およびスクリーン２の見付け方向の両端部がガイドレール５，５のガイドレール溝部５１に挿入された状態でボトムバー４を上下方向に移動させることによって、スクリーン２が巻き取り・巻き出しされて、開口部１２を開閉するように構成されている。
【００４８】
次に、上述した本実施形態によるスクリーンの固定構造およびスクリーン装置の作用・効果について図面を用いて説明する。
本実施形態によるスクリーン２の固定構造およびスクリーン装置１では、第１固定縁部２２と第２固定縁部２３とは、スクリーン２に形成された切り込み部２４を介して隣接していることにより、切り込み部２４を境として第１固定縁部２２がボトムバー本体４１の第１固定溝部４１１に固定される向きと、第２固定縁部２３が端部キャップ４２の第２固定溝部４２５に固定される向きと、を互いに異なる向きとすることができる。
【００４９】
第１固定縁部２２は、第１薄板部２２１および第１薄板部２２１を巻き込んだスクリーン２の下縁部２１の面が上下方向を向く姿勢でボトムバー本体４１に固定されているため、ボトムバー４がガイドレール５，５に沿って上下向に移動し、ボトムバー本体４１および第１固定縁部２２に互いを離間させる上下方向の力が作用した場合でも、ボトムバー本体４１と第１固定縁部２２とが外れにくい構造とすることができる。
【００５０】
また、第２固定縁部２３は、第２薄板部２３１および第２薄板部を巻き込んだスクリーン２の下縁部２１の面が見込み方向を向き上下方向に延びる姿勢で端部キャップ４２に固定されているため、第２固定溝部４２５の見込み方向の寸法を抑えることができ、端部キャップ４２の見込み方向の寸法も抑えることができる。その結果、ガイドレール５，５の見込み方向の寸法を抑えることもできて、スクリーン装置１が大型化することを防止でき、スクリーン装置１の製造や運搬・施工などに手間やコストがかかることを防止できる。
このように、本実施形態によるスクリーン２の固定構造およびスクリーン装置１では、スクリーン２がボトムバー４から外れにくい構造とすることができるとともに、端部キャップ４２およびガイドレール５，５の見込み方向の寸法を抑えることができる。
【００５１】
以上、本発明によるスクリーンの固定構造およびスクリーン装置の実施形態について説明したが、本発明は上記の実施形態に限定されるものではなく、その趣旨を逸脱しない範囲で適宜変更可能である。
例えば、上記の実施形態では、スクリーン装置１は、スクリーン２の下縁部２１が固定されたボトムバー４（框材）が上下方向に移動し、スクリーン２が上側に巻き取られて、下側に巻き出される構成である。これに対して、スクリーン２が下側に巻き取られて、上側に巻き出される構成であってもよい。また、スクリーン２の縁部が固定された框材が水平方向に移動して、スクリーン２が水平方向に巻き取り・巻き出しされるように構成されていてもよい。
【００５２】
また、上記の実施形態では、ガイドレール５，５が設けられていて、ボトムバー４がガイドレール５，５に沿って移動するように構成されているが、ガイドレール５，５が設けられておらず、ボトムバー４が移動方向をガイドされない構成であってもよい。
また、上記の実施形態では、ボトムバー４は、ボトムバー本体４１と、ボトムバー本体４１の端部に取り付けられた端部キャップ４２とを有しているが、１つの部材として形成されていてもよい。このような場合は、ボトムバー４の長さ方向の中間部にスクリーン２の第１固定縁部２２が固定され、ボトムバー４の長さ方向の端部に第２固定縁部２３が固定される。
また、スクリーン２やボトムバー４、ガイドレール５，５の形態は、上記以外であってもよい。
【００５３】
また、上記の実施形態では、スクリーン２の第１固定縁部２２が、ボトムバー本体４１の第１固定溝部４１１に挿入されることでボトムバー本体４１に固定され、スクリーン２の第２固定縁部２３が端部キャップ４２の第２固定溝部４２５に挿入されることで端部キャップ４２に固定されている。これに対し、スクリーン２の第１固定縁部２２および第２固定縁部２３がボトムバー４に固定される形態は上記以外であってもよい。このため、ボトムバー本体４１には、第１固定溝部４１１が形成されていなくてもよいし、端部キャップ４２に第２固定溝部４２５が設けられていなくてもよい。
また、ボトムバー４に固定される第１固定縁部２２および第２固定縁部２３の向きは、互いに異なる向きであれば、上記以外の向きとしてもよい。
【００５４】
また、上記の実施形態では、スクリーン２は、第１固定縁部２２が第１薄板部２２１を巻き込んだ構造であり、第２固定縁部２３が第２薄板部２３１を巻き込んだ構造である。これに対して、スクリーン２は、第１固定縁部２２および第２固定縁部２３をボトムバー４に固定できる形態であれば、第１薄板部２２１および第２薄板部２３１が設けられていなくてもよいし、第１薄板部２２１および第２薄板部２３１に代わる部材、または第１薄板部２２１および第２薄板部２３１に加えて他の部材が設けられていてもよい。
【符号の説明】
【００５５】
１  スクリーン装置
２  スクリーン
４  ボトムバー（框材）
５  ガイドレール
２１  下縁部
２２  第１固定縁部
２３  第２固定縁部
２４  切り込み部
４１  ボトムバー本体（框本体）
４２  端部キャップ
５１  ガイドレール溝部
４１１  第１固定溝部
４２５  第２固定溝部
【図１】
2019023407.tif 000003
【図２】
2019023407.tif 000004
【図３】
2019023407.tif 000005
【図４】
2019023407.tif 000006
【図５】
2019023407.tif 000007
【図６】
2019023407.tif 000008